(57)【要約】【課題】  簡単な構造で、かつ容易に鉄骨柱ベースプレートを調整できる鉄骨柱建入れ直し治具を提供する。【解決手段】  鉄骨柱建入れ直し治具１０は、上下方向に延在する押上ボルト１１に係合可能な第１雌ネジ部１２と、第１雌ネジ部１２に接続して設けられ、鉄骨柱ベースプレート１７を支持する支持部１３とを含み、支持部１３は、鉄骨柱ベースプレート１７をその上面で支持するための支持部材１３ａと、支持部材１３ａの上面に鉄骨柱ベースプレート１７が支持されたときに、鉄骨柱ベースプレート１７をその上側から押し付けるために、鉄骨柱ベースプレート１７上で上下方向に移動可能な支持ボルト１５と、支持部材１３ａに対向して、支持ボルト１５に係合可能に設けられた第２雌ネジ部１４とを含む。【選択図】      図１
2006144401.tif 000002
【特許請求の範囲】
【請求項１】
上下方向に延在する押上ボルトと、
前記押上ボルトに係合可能な第１雌ネジ部と、
前記第１雌ネジ部に接続して設けられ、鉄骨柱ベースプレートを支持する支持部とを含み、
前記支持部は、
鉄骨柱ベースプレートをその上面で支持するための支持部材と、
前記支持部材の上面に鉄骨柱ベースプレートが支持されたときに、鉄骨柱ベースプレートをその上側から保持するために、鉄骨柱ベースプレート上で上下方向に移動可能な、支持ボルトと、
前記支持部材に対向して、前記支持ボルトに係合可能に設けられた第２雌ネジ部とを含む、鉄骨柱建入れ直し治具。
【請求項２】
前記支持部材と、第２雌ネジ部とは上下方向に延在する長手部材で一体化されている、請求項１に記載の鉄骨柱建入れ直し治具。
【請求項３】
請求項１または２に記載された鉄骨柱建入れ直し治具を用いて、アンカーボルトを固定する建入れ作業を行なう、鉄骨柱建入れ直し施工方法。
【発明の詳細な説明】
【技術分野】
【０００１】
この発明は、鉄骨柱建入れ直し治具に関し、特に、容易に鉄骨柱の鉛直度を出すことができる、建入れ作業に使用される鉄骨柱建入れ直し治具に関する。
【背景技術】
【０００２】
従来の鉄骨柱の建入れ直し治具が、たとえば、特許第３４９９７５４号公報に記載されている。同公報によれば、建入れ直し治具は、上部及び下部を有するフレームと、該フレームの上部を貫通し、フレームの下部に伸びるボルトと、フレームの上部及び下部間に配置され、かつボルトに螺合され、ボルトの軸線方向にのみ移動可能であるナットとを含み、ナットの上方に鉄骨柱ベースプレートの縁部を配置可能である。
【特許文献１】特許第３４９９７５４号公報（段落番号０００７、図２等）
【発明の開示】
【発明が解決しようとする課題】
【０００３】
従来の建入れ作業に使用される建入れ直し治具は、上記のように構成されていた。ナットで鉄骨柱ベースプレートを保持するため、押上ボルトを締めるときに雌ネジとの摩擦による回転モーメントが治具自体にかかり、そのモーメントにより、治具自体が回転や移動を生じ、ボルトを締めるのが困難である、という問題があった。
【０００４】
この発明は、上記のような課題に鑑みてなされたもので、簡単な構造で、かつ容易に鉄骨柱ベースプレートを調整できる鉄骨柱建入れ直し治具を提供することを目的とする。
【課題を解決するための手段】
【０００５】
この発明に係る、鉄骨柱建入れ直し治具は、上下方向に延在する押上ボルトと、押上ボルトに係合可能な第１雌ネジ部と、第１雌ネジ部に接続して設けられ、鉄骨柱ベースプレートを支持する支持部とを含み、支持部は、鉄骨柱ベースプレートをその上面で支持するための支持部材と、支持部材の上面に鉄骨柱ベースプレートが支持されたときに、鉄骨柱ベースプレートをその上側から押し付けるために、鉄骨柱ベースプレート上で上下方向に移動可能な、支持ボルトと、支持部材に対向して、支持ボルトに係合可能に設けられた第２雌ネジ部とを含む。
【０００６】
鉄骨柱ベースプレートを支持する支持部を有する第１雌ネジ部は、上下方向に延在する押上ボルトに係合可能であり、鉄骨柱ベースプレートを支持部材と支持ボルトで固定した後で、第１雌ネジ部を押上ボルトで上下方向に移動可能であるため、鉄骨柱ベースプレートを容易に上下方向に移動できる。その結果、簡単な構造で、かつ容易に鉄骨柱ベースプレートを調整できる鉄骨柱建入れ直し治具を提供できる。
【０００７】
好ましくは、支持部材と、第２雌ネジ部とは上下方向に延在する長手部材で一体化されている。
【０００８】
この発明の他の局面においては、鉄骨柱建入れ直し施工方法は、上記した鉄骨柱建入れ直し治具を用いて、アンカーボルトを固定する建入れ作業を行なう。
【発明を実施するための最良の形態】
【０００９】
以下、この発明の実施の形態を、図面を参照して説明する。図１はこの発明の一実施の形態に係る鉄骨柱建入れ直し治具１０の構成を示す側面図（図１（Ａ））と、図１（Ａ）においてＢ−Ｂで示す部分の平面図である（図１（Ｂ）鉄骨柱ベースプレートについては、図示を省略している）。
【００１０】
図１を参照して、鉄骨柱建入れ直し治具１０は、上下方向に延在する押上ボルト１１と、押上ボルト１１に係合可能な第１雌ネジ部１２と、第１雌ネジ部１２に接続された支持部１３とを含む。支持部１３は、第１雌ネジ部１２の長さ方向に延びる長手部材１３ｂと、長手部材１３ｂの下部に設けられ、その上面で鉄骨柱ベースプレート１７を受ける支持部材１３ａと、長手部材１３ｂの上部に設けられた第２雌ネジ部１４とを含む。第２雌ネジ部１４には上下方向に延在する支持ボルト１５が係合し、支持ボルト１５を締めることによって、支持ボルト１５の下端と支持部材１３ａとの間で鉄骨柱ベースプレート１７を保持する。
【００１１】
第１雌ネジ部１２の下端部は、支持部材１３ａの下端部よりも高い位置となるように設けられており、それによって、図１（Ａ）に示すように、支持部材１３ａの下面とコンクリート上面２７の隙間が狭くても、ライナープレート２６の取付けが容易になる。なお、第１雌ネジ部１２の下端面は支持部材１３ａの下端面上の任意の位置に設けてもよい。
【００１２】
図１（Ｂ）に示すように、支持部材１３ａは、鉄骨柱ベースプレートの一部を保持するために十分な幅を有している。
【００１３】
なお、第２雌ネジ部１４として、一般のナットを用いてもよい。
【００１４】
次に、鉄骨柱建入れ直し治具１０を用いて、鉄骨建入れ直しを行なう手順について説明する。図２は鉄骨柱建入れ直し治具１０を用いて鉄骨建入れ直し作業を行なう様子を示す図である。図２を参照して、予め基礎のレベルの基準となるマンジュウ２０の頂部が、所定のＧＬレベル（図２（Ｂ）においてＧＬで示す）になるように、コンクリート上面２７より隆起させてマンジュウ２０を所定の高さに形成する。このマンジュウ２０の頂部の高さは、具体的には、マンジュウ２０の内部に上下方向に埋込まれた鉄筋２１の先端部を切断して行なう。なお、マンジュウ２０はモルタルで構成されていてもよいし、鉄マンジュウであっても、レベルモルタルでもよい。
【００１５】
この状態で鉄骨柱２５付きの鉄骨柱ベースプレート１７をマンジュウ２０の上に載置して、柱を建て込む。次いで、鉄骨柱ベースプレート１７を支持部材１３ａと支持ボルト１５とによって挟んで、鉄骨柱ベースプレート１７の４辺の各々に鉄骨柱建入れ直し治具１０を固定する。このとき、鉄骨柱建入れ直し治具１０の一辺（図１（Ｂ）において１３ｃで示す）を、予め墨だしされた、センター墨２８（図２（Ａ）参照）に合わせるとともに、４つの鉄骨柱建入れ直し治具１０が全てセンター墨２８の一方方向（図２（Ａ）では、反時計方向）に位置するように配置される。
【００１６】
なお、図２（Ａ）においては、鉄骨柱建入れ直し治具１０のボルトの形状等については省略している。
【００１７】
このように、鉄骨柱建入れ直し治具１０の一辺をセンター墨２８に合わせるようにしたため、墨合わせと建入れ直しを同時作業として進めることが可能になる。
【００１８】
鉄骨柱ベースプレートの厚さが端部方向へ薄くなっている場合があるので、支持ボルト１５としてボルトの先がくぼみ先のボルトを使用すると好適である。
【００１９】
次にライナープレート２６をコンクリート上面２７と押上ボルト１１との間に置く。
【００２０】
通り芯を合せ、鉄骨柱建入れ直し治具１０とアンカーナット１９によって柱の鉛直度を調整する。トランシットで建ちを確認し、締める側のアンカーボルトを緩め、所定の位置になったときに、反対側のアンカーナットを仮締めする（たとえば、図２（Ａ）において、鉄骨柱建入れ直し治具１０ａの押上ボルト１１を右に廻して締付けるときは、アンカーナット１９ｂ、１９ｃを緩め、アンカーナット１９ａと１９ｄとを締付ける）。
【００２１】
なお、鉄骨柱建入れ直し治具１０の押上ボルト１１を締付けると、鉄骨柱ベースプレート１７は上昇する。
【００２２】
このようにして建ちを確認し、４個の鉄骨柱建入れ直し治具１０ａ〜１０ｄに荷重をかけて調整し、４本のアンカーナット１９ａ〜１９ｄの仮締めを確認し、クレーンの玉かけを解除する。このようにして、４本の柱を建入れて、各柱を接続する梁を取付けて、トランシットで正確な建入れを完了し、アンカーナット１９ａ〜１９ｄを締める。
【００２３】
以上のように、この実施の形態による鉄骨柱建入れ直し治具を用いれば、容易にアンカーナットの締付けが可能になり、鉄骨柱の建て込み時間を削減できる。
【００２４】
また、従来のようにワイヤを用いることなく作業が可能であるため、作業現場において、高所作業車やその他の車両が動きやすくなり、全体的な工程の短縮も可能になる。
【００２５】
なお、上記実施の形態においては、鉄骨柱ベースプレートの高さの調整を押上ボルトによって行なう例について説明したが、これに限らず、押上ボルトの代わりに、油圧ジャッキを用いて行なってもよい。
【００２６】
また、鉄骨柱の鉛直方向を自動確認する鉛直方向自動確認装置と、油圧ジャッキを連動させて、自動的に建入れ直しを制御するようにしてもよい。
【００２７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００２８】
この発明に係る鉄骨柱建入れ直し治具は、簡単な構造で、かつ容易に鉄骨柱ベースプレートを上下方向に移動できるため、鉄骨柱建入れ直し治具として有利に使用される。
【図面の簡単な説明】
【００２９】
【図１】この発明の一実施の形態に係る鉄骨柱建入れ直し治具の構成を示す図である。
【図２】この発明の一実施の形態に係る鉄骨柱建入れ直し治具を用いた、アンカーボルトの取付け状態を説明するための図である。
【符号の説明】
【００３０】
１０  鉄骨柱建入れ直し治具、１１  押上ボルト、１２  第１雌ネジ部、１３  支持部、１４  第２雌ネジ部、１５  支持ボルト、１７  鉄骨柱ベースプレート、１８  アンカーボルト、１９  アンカーナット、２０  マンジュウ、２１  鉄筋、２５  鉄骨柱、２６  ライナープレート、２８  センター墨。
【図１】
2006144401.tif 000003
【図２】
2006144401.tif 000004
【手続補正書】
【提出日】平成17年11月22日(2005.11.22)
【手続補正１】
【補正対象書類名】明細書
【補正対象項目名】０００１
【補正方法】変更
【補正の内容】
【０００１】
この発明は、鉄骨柱建入れ直し治具に関し、特に、容易に鉄骨柱の鉛直を出すことができる、建入れ作業に使用される鉄骨柱建入れ直し治具に関する。
【手続補正２】
【補正対象書類名】明細書
【補正対象項目名】０００８
【補正方法】変更
【補正の内容】
【０００８】
この発明の他の局面においては、上記した鉄骨柱建入れ直し治具を用いて、アンカーボルトを固定する建入れ作業を行なう。
【手続補正３】
【補正対象書類名】明細書
【補正対象項目名】００１１
【補正方法】変更
【補正の内容】
【００１１】
第１雌ネジ部１２の下端部は、支持部材１３ａの下端部よりも高い位置となるように設けられており、それによって、図１（Ａ）に示すように、支持部材１３ａの下面とコンクリート上面２７の隙間が狭くても、ライナープレート２６の取付けが容易になる。なお、第１雌ネジ部１２の下端面は支持部材１３ａの下端面よりも上の任意の位置に設けてもよい。
【手続補正４】
【補正対象書類名】明細書
【補正対象項目名】００１４
【補正方法】変更
【補正の内容】
【００１４】
次に、鉄骨柱建入れ直し治具１０を用いて、鉄骨建入れ直しを行なう手順について説明する。図２は鉄骨柱建入れ直し治具１０を用いて鉄骨建入れ直し作業を行なう様子を示す図である。図２（Ｂ）を参照して、予め基礎の基準となるマンジュウ２０の頂部が、所定のＧＬレベル（図２（Ｂ）においてＧＬで示す）になるように、コンクリート上面２７より隆起させてマンジュウ２０を所定の高さに形成する。このマンジュウ２０の頂部の高さは、具体的には、マンジュウ２０の内部に上下方向に埋込まれた鉄筋２１の先端部を切断して行なう。なお、マンジュウ２０はモルタルで構成されていてもよいし、鉄マンジュウであっても、レベルモルタルでもよい。
【手続補正５】
【補正対象書類名】明細書
【補正対象項目名】００２３
【補正方法】変更
【補正の内容】
【００２３】
以上のように、この実施の形態による鉄骨柱建入れ直し治具１０を用いれば、容易にアンカーナット１９の締付けが可能になり、鉄骨柱の建て込み時間を削減できる。
【手続補正６】
【補正対象書類名】明細書
【補正対象項目名】００２８
【補正方法】変更
【補正の内容】
【００２８】
この発明に係る鉄骨柱建入れ直し治具１０は、簡単な構造で、かつ容易に鉄骨柱ベースプレートを上下方向に移動できるため、鉄骨柱建入れ直し治具として有利に使用される。
【手続補正７】
【補正対象書類名】図面
【補正対象項目名】図１
【補正方法】変更
【補正の内容】
【図１】
2006144401.tif 000005